(57)【要約】      （修正有）【課題】シンプルな構成とすることができるバラスト水処理システムを提供する。【解決手段】このバラスト水処理システム１では、殺菌剤Ｒと中和剤とが流通するラインにおいて、殺菌剤注入部１７及び中和剤注入部２７より上流側に、殺菌剤Ｒと中和剤とが共通して流通する共通ライン５が設けられている。これにより、漲水時には共通ライン５に殺菌剤Ｒを流通させ、排水時には共通ライン５に中和剤Ｎを流通させるため、殺菌剤Ｒのラインと中和剤のラインとを個別に設ける必要がない。このため、バラスト水処理システムをシンプルな構成とすることができる。【選択図】図２
2015160468.tif 000002
【特許請求の範囲】
【請求項１】
船舶のバラスト水に反応剤を注入すると共に、前記バラスト水に前記反応剤を中和する中和剤を注入するバラスト水処理システムであって、
前記反応剤及び前記中和剤を前記バラスト水に注入する注入部と、
前記注入部より上流側に設けられ、前記反応剤及び前記中和剤が共通して流通する共通ラインと、を備えることを特徴とするバラスト水処理システム。
【請求項２】
前記反応剤は、前記バラスト水に殺菌処理を施す殺菌剤であり、
前記殺菌剤は、前記船舶内に前記バラスト水を漲水するときに前記バラスト水に注入され、
前記中和剤は、前記船舶内から前記バラスト水を排水するときに前記バラスト水に注入されることを特徴とする請求項１記載のバラスト水処理システム。
【請求項３】
前記共通ラインより上流側に設けられ、前記反応剤及び前記中和剤の少なくとも一方を貯留するタンクを更に備え、
前記タンクと前記注入部とは隔壁で仕切られた異なる区画に配置され、
前記共通ラインは、前記隔壁を貫通して設けられることを特徴とする請求項１又は２記載のバラスト水処理システム。
【発明の詳細な説明】
【技術分野】
【０００１】
本発明は、船舶のバラスト水処理システムに関する。
【背景技術】
【０００２】
従来、船舶において、安定性を向上すると共に十分な喫水を確保することを目的として、バラストタンクを備えるものが知られている（例えば、特許文献１参照）。このバラストタンクは、船舶に積載された貨物の重量が小さい場合、バラスト水として海水をバラストタンク内に漲水する。一方、貨物の重量が大きい場合、バラスト水をバラストタンクから排水する。これにより、船舶全体として適当な重量となるように調節を行っている。
【先行技術文献】
【特許文献】
【０００３】
【特許文献１】特開２０１１−０７２８７３号公報
【発明の概要】
【発明が解決しようとする課題】
【０００４】
上述したバラストタンクを備える船舶では、一般に漲水する港と排水する港が異なるため、バラスト水として取り込む海水に含有される物質の除去、又は微生物の殺菌を行うことが環境保護の観点から求められる。このため、海水中の物質や微生物を処理する反応剤をバラスト水に注入すると共に、この反応剤の成分を中和する中和剤をバラスト水に注入する場合がある。しかしながら、このようなバラスト水処理システムでは、バラスト水に反応剤を注入するために反応剤を流通させるラインと、中和剤を注入するために中和剤を流通させるラインとの両方を設ける必要があり、構成が複雑になる。
【０００５】
本発明は、上記課題の解決のためになされたものであり、シンプルな構成とすることができるバラスト水処理システムを提供することを目的とする。
【課題を解決するための手段】
【０００６】
上記課題の解決のため、本発明に係るバラスト水処理システムは、船舶のバラスト水に反応剤を注入すると共に、バラスト水に反応剤を中和する中和剤を注入するバラスト水処理システムであって、反応剤及び中和剤をバラスト水に注入する注入部と、注入部より上流側に設けられ、反応剤及び中和剤が共通して流通する共通ラインと、を備えることを特徴とする。
【０００７】
このバラスト水処理システムでは、反応剤と中和剤とが流通するラインにおいて注入部より上流側に、反応剤と中和剤とが共通して流通する共通ラインが設けられている。これにより、バラスト水に反応剤を注入するときは共通ラインに反応剤を流通させ、バラスト水に中和剤を注入するときは共通ラインに中和剤を流通させるため、反応剤のラインと中和剤のラインとを個別に設ける必要がない。このため、バラスト水処理システムをシンプルな構成とすることができる。また、部材の使用量が減少するため、コストの低減が可能となる。また、万一共通ラインから反応剤が漏洩した場合でも、共通ラインに中和剤を流通させるだけで漏洩した反応剤を速やかに中和できるため、安全性の向上が可能となる。
【０００８】
また、本発明に係るバラスト水処理システムにおいて、反応剤は、バラスト水に殺菌処理を施す殺菌剤であり、殺菌剤は、船舶内にバラスト水を漲水するときにバラスト水に注入され、中和剤は、船舶内からバラスト水を排水するときにバラスト水に注入されることが好ましい。この場合、バラスト水として取り込む海水に含有される微生物を効率的に殺菌することができる。
【０００９】
また、本発明に係るバラスト水処理システムは、共通ラインより上流側に設けられ、反応剤及び中和剤の少なくとも一方を貯留するタンクを更に備え、タンクと注入部とは隔壁で仕切られた異なる区画に配置され、共通ラインは、隔壁を貫通して設けられることが好ましい。この場合、隔壁に設ける貫通部が、共通ラインを貫通させるための一箇所のみで良いため、製造が容易になる。
【発明の効果】
【００１０】
本発明に係るバラスト水処理システムによれば、シンプルな構成とすることができる。
【図面の簡単な説明】
【００１１】
【図１】本発明の一実施形態に係るバラスト水処理システムを適用した船舶を示す図である。
【図２】本発明の一実施形態に係るバラスト水処理システムにおける、漲水時の殺菌剤流通経路を概略的に示した図である。
【図３】本発明の一実施形態に係るバラスト水処理システムにおける、排水時の中和剤流通経路を概略的に示した図である。
【図４】共通ラインから殺菌剤が漏洩した状態を概略的に示した図である。
【図５】漏洩した殺菌剤を中和剤で中和する状態を概略的に示した図である。
【図６】従来のバラスト水処理システムにおける、漲水時の殺菌剤流通経路を概略的に示した図である。
【図７】従来のバラスト水処理システムにおける、排水時の中和剤流通経路を概略的に示した図である。
【発明を実施するための形態】
【００１２】
以下、図面を参照しながら、本発明に係るバラスト水処理システムの好適な実施形態について詳細に説明する。
【００１３】
図１は、本発明の一実施形態に係るバラスト水処理システムを適用した船舶を示す図である。同図に示す船舶１００は、カーゴスペースに例えば油や液化天然ガスといった石油系液体貨物を積載して運搬するタンカーを例示している。船舶１００は、船体１０１と、推進器１０２と、舵１０３とを有している。推進器１０２は、船舶１００を推進させるものであり、例えばスクリューシャフトが用いられる。舵１０３は、船舶１００の推進方向を制御する。
【００１４】
また、船舶１００は、船体１０１の内部に機関室２と、ポンプ室３と、バラストタンク４とを有する。また、機関室２とポンプ室３とに跨ってバラスト水処理システム１が設置されている。機関室２は、船体１０１の後部に設けられており、メインエンジン等が設置される区画である。ポンプ室３は、機関室２の前方に設けられており、例えば液体貨物の吸引を行うポンプ等が設置される区画である。機関室２とポンプ室３との間は隔壁７によって仕切られている。
【００１５】
バラストタンク４は、機関室２の前方（すなわち、ポンプ室３の側方、又は更に前方）に設けられている。バラストタンク４は、船舶１００に積載された貨物の重量に応じてバラスト水Ｗを漲水又は排水する。より具体的には、バラストタンク４は、貨物の重量が小さい場合はポンプで海水を吸い上げることによってバラスト水Ｗを漲水する。また、積載する貨物の重量が大きくなるに伴ってバラスト水Ｗを海へ排水する。これにより、船舶１００全体として、安定性を向上すると共に十分な喫水を確保できる適当な重量への調節が可能となる。
【００１６】
次に、バラスト水処理システム１の構成について説明する。図２は、本発明の一実施形態に係るバラスト水処理システムにおける、漲水時の殺菌剤流通経路を概略的に示した図である。図３は、本発明の一実施形態に係るバラスト水処理システムにおける、排水時の中和剤流通経路を概略的に示した図である。図２、３に示すように、バラスト水処理システム１は機関室２とポンプ室３とに跨っており、隔壁７に設けられた貫通部８を貫通するように設置されている。
【００１７】
バラスト水処理システム１は、バラストタンク４にバラスト水Ｗを漲水すると共にバラストタンク４からバラスト水Ｗを排水するための漲排水系３１と、漲排水系３１を流れるバラスト水Ｗに殺菌剤Ｒ及び中和剤Ｎを注入するための注入系１１と、を備える。殺菌剤Ｒは、バラスト水Ｗとして取り込んだ海水に含有される微生物を殺菌するためにバラスト水Ｗに注入される。また、中和剤Ｎは、海洋生物に対して有害な殺菌剤Ｒを中和して無害化するために、殺菌剤Ｒを含むバラスト水Ｗの排水前に注入される。
【００１８】
漲排水系３１は、バラスト水Ｗとして海水を取り込む取水口の機能を有すると共にバラスト水Ｗを船外に排出する排水口の機能を有するシーチェスト３２と、シーチェスト３２からバラストタンク４までを繋いでバラスト水Ｗを流通させる第１のバラスト水ライン３３と、第１のバラスト水ライン３３の中途位置からシーチェスト３２までを繋いでバラスト水Ｗを流通させる第２のバラスト水ライン３４と、バラストタンク４から第１のバラスト水ライン３３の中途位置までを繋ぎ、排水時にバラストタンク４からバラスト水Ｗを流す排水ライン３６と、漲排水系３１においてバラスト水Ｗを流すためのバラスト水ポンプ４０と、を少なくとも有する。
【００１９】
注入系１１は、殺菌剤Ｒ及び中和剤Ｎを貯留しておくためのタンク２９と、殺菌剤Ｒ及び中和剤Ｎが共通して流通する共通ライン５と、漲排水系３１を流れるバラスト水Ｗに殺菌剤Ｒ及び中和剤Ｎを注入する注入部２８と、注入系１１において殺菌剤Ｒ及び中和剤Ｎを流すための共通ポンプ６と、を少なくとも有する。共通ライン５は、バラスト水Ｗに殺菌剤Ｒを注入するときは殺菌剤Ｒが流通するラインとしての機能を果たすと共に、バラスト水Ｗに中和剤Ｎを注入するときは中和剤Ｎが流通するラインとしての機能を果たす。また、共通ライン５は、注入部２８より上流側に設けられている。ここで上流側とは、注入系１１において、タンク２９から注入部２８へ向かう殺菌剤Ｒ及び中和剤Ｎの流れにおける上流側を意味する。
【００２０】
本実施形態において、上記タンク２９は、殺菌剤Ｒを貯留する殺菌剤タンク１２と、中和剤Ｎを貯留する中和剤タンク２２とに分かれている。このため、殺菌剤タンク１２から共通ライン５までを繋ぐ第１の殺菌剤ライン１３が設けられており、同様に、中和剤タンク２２から共通ライン５までを繋ぐ第１の中和剤ライン２３が設けられている。なお、タンク２９は、一つのタンクであって、殺菌剤タンク１２として機能すると共に中和剤タンク２２として機能するものとしても良い。この場合、タンク２９に殺菌剤Ｒ又は中和剤Ｎを必要に応じて補充する。これによると、第１の殺菌剤ライン１３及び第１の中和剤ライン２３を設ける必要がなくなり、更にシンプルな構成とすることができる。
【００２１】
また、本実施形態において、上記注入部２８は、バラスト水Ｗに殺菌剤Ｒを注入する殺菌剤注入部１７と、バラスト水Ｗに中和剤Ｎを注入する中和剤注入部２７とに分かれている。このため、共通ライン５から殺菌剤注入部１７までを繋ぐ第２の殺菌剤ライン１４が設けられており、同様に、共通ライン５から中和剤注入部２７までを繋ぐ第２の中和剤ライン２４が設けられている。このように、注入部２８が殺菌剤注入部１７と中和剤注入部２７とに分かれていることで、それぞれ漲排水系３１のうちの最適な位置に各注入部を設けることが可能となる。ここで、殺菌剤注入部１７を設ける位置は、第１のバラスト水ライン３３の途中であれば、シーチェスト３２からバラストタンク４までの間におけるどの位置に設けても良い。また、中和剤注入部２７を設ける位置は、バラストタンク４から排水ライン３６、続いて第１のバラスト水ライン３３、さらに第２のバラスト水ライン３４を経て、例えばシーチェスト３２等の排水口（バラスト水Ｗを排水するものであれば、シーチェスト３２以外の排水口であってもよい）に至るまでの間であれば、どの位置に設けても良い。なお、注入部２８は、一つの注入部であって、殺菌剤注入部１７として機能すると共に中和剤注入部２７として機能するものとしても良い。この場合、第２の殺菌剤ライン１４と第２の中和剤ライン２４とを設ける必要がなくなり、更にシンプルな構成とすることができる。
【００２２】
また、バラスト水処理システム１は、機関室２とポンプ室３とに跨って設置されている。機関室２側には注入系１１の上流側が設置されており、ポンプ室３側には注入系１１の下流側及び漲排水系３１が設置されている。注入系１１において、機関室２側には少なくとも殺菌剤タンク１２と中和剤タンク２２とが設けられると共に、ポンプ室３側には少なくとも殺菌剤注入部１７と中和剤注入部２７とが設けられている。また、共通ライン５が、機関室２とポンプ室３との間の隔壁７に設けられた貫通部８を貫通するように設けられている。なお、本実施形態において共通ポンプ６は機関室２側に設置されているが、共通ライン５の途中であれば、ポンプ室３側に設置されていても良い。
【００２３】
なお、図２，３に示すように、バラスト水処理システム１の各ラインにはバルブが設けられている。バルブを設ける位置は、注入系１１においては、殺菌剤Ｒのみを流通させる場合と、中和剤Ｎのみを流通させる場合とを制御することができれば、具体的なバルブの配置は特に限定されない。同様に、漲排水系３１においては、漲水時にはシーチェスト３２からバラストタンク４へバラスト水Ｗを流すことができて、排水時にはバラストタンク４から例えばシーチェスト３２等の排水口（バラスト水Ｗを排水するものであれば、シーチェスト３２以外の排水口であってもよい）へバラスト水Ｗを流すことができれば、具体的なバルブの配置は特に限定されない。なお、本実施形態では、注入系１１において、第１の殺菌剤ライン１３に第１の殺菌剤バルブ１５が設けられ、第１の中和剤ライン２３に第１の中和剤バルブ２５が設けられている。また、第２の殺菌剤ライン１４に第２の殺菌剤バルブ１６が設けられ、第２の中和剤ライン２４に第２の中和剤バルブ２６が設けられている。また、漲排水系３１において、第１のバラスト水ライン３３に第１のバラスト水バルブ３７及び第２のバラスト水バルブ３８が設けられ、第２のバラスト水ライン３４に第３のバラスト水バルブ３９が設けられている。
【００２４】
続いて、上述したバラスト水処理システム１の動作について説明する。
【００２５】
漲水時には、第１のバラスト水バルブ３７及び第２のバラスト水バルブ３８を開き、第３のバラスト水バルブ３９を閉じると共に、バラスト水ポンプ４０を駆動する。これにより、海水がバラスト水Ｗとしてシーチェスト３２から流入し、第１のバラスト水ライン３３を流れてバラストタンク４に入る（矢印Ａ１）。一方、排水時には、第１のバラスト水バルブ３７を閉じ、第２のバラスト水バルブ３８及び第３のバラスト水バルブ３９を開くと共に、バラスト水ポンプ４０を駆動する。これにより、バラストタンク４に貯留されていたバラスト水Ｗが、排水ライン３６から第１のバラスト水ライン３３を流れ、続いて第２のバラスト水ライン３４を流れて、例えばシーチェスト３２等の排水口（バラスト水Ｗを排水するものであれば、シーチェスト３２以外の排水口であってもよい）から海に排水される（矢印Ａ２）。
【００２６】
ここで、従来のバラスト水処理システム５１では、漲水時には、図６に示す通り、殺菌剤Ｒが殺菌剤タンク６２から殺菌剤ポンプ６７によって殺菌剤ライン６３を下流に流され、バラスト水Ｗに注入される（矢印Ａ５）。一方、排水時には、図７に示す通り、中和剤Ｎが中和剤タンク７２から中和剤ポンプ７７によって中和剤ライン７３を下流に流され、バラスト水Ｗに注入される（矢印Ａ６）。このように、殺菌剤ライン６３は殺菌剤Ｒの流通専用に設けられており、中和剤ライン７３は中和剤Ｎの流通専用に設けられている。従って、殺菌剤ライン６３、中和剤ライン７３は、それぞれ漲水時、排水時にしか使用されない。また、殺菌剤ポンプ６７は殺菌剤Ｒを流すためだけに設けられており、中和剤ポンプ７７は中和剤Ｎを流すためだけに設けられている。さらに、機関室２とポンプ室３との間を仕切る隔壁７には、殺菌剤ライン６３が貫通する殺菌剤ライン用貫通部６８と、中和剤ライン７３が貫通する中和剤ライン用貫通部７８とが設けられている。
【００２７】
これに対し、本発明に係るバラスト水処理システム１は、漲水時には、図２に示す通り、第１の殺菌剤バルブ１５及び第２の殺菌剤バルブ１６を開き、第１の中和剤バルブ２５及び第２の中和剤バルブ２６を閉じると共に、共通ポンプ６を駆動する。これにより、殺菌剤Ｒが、殺菌剤タンク１２から第１の殺菌剤ライン１３を流れ、合流部９を経て共通ライン５に流れ、更に分岐部１０を経て第２の殺菌剤ライン１４に流れて殺菌剤注入部１７に至る（矢印Ａ３）。従って、バラスト水Ｗは、殺菌剤注入部１７を通過する際に殺菌剤Ｒを注入されるため、バラストタンク４に漲水されるバラスト水Ｗは殺菌剤Ｒによって水中の微生物が殺菌された状態となる。
【００２８】
一方、排水時には、図３に示す通り、第１の殺菌剤バルブ１５及び第２の殺菌剤バルブ１６を閉じ、第１の中和剤バルブ２５及び第２の中和剤バルブ２６を開くと共に、共通ポンプ６を駆動する。これにより、中和剤Ｎが、中和剤タンク２２から第１の中和剤ライン２３を流れ、合流部９を経て共通ライン５に流れ、更に分岐部１０を経て第２の中和剤ライン２４に流れて中和剤注入部２７に至る（矢印Ａ４）。従って、バラスト水Ｗには殺菌剤Ｒが残存している可能性があるが、中和剤注入部２７を通過する際に中和剤Ｎを注入されるため、海に排水されるバラスト水Ｗは殺菌剤Ｒが中和されて無害化された状態となる。
【００２９】
なお、共通ライン５に殺菌剤Ｒを流通させた後、殺菌剤Ｒの流通を止めたとしても、共通ライン５の内部には殺菌剤Ｒが残存する。その後、共通ライン５に中和剤Ｎを流通させた場合、共通ライン５の内部に残存する殺菌剤Ｒと、新たに流通した中和剤Ｎとが混合されることになる。しかし、殺菌剤Ｒと中和剤Ｎとが混合されても殺菌剤Ｒが中和されるだけであるため特段の害はない。また、新たに流通する中和剤Ｎの一部は残存する殺菌剤Ｒの中和に用いられることになる。しかし、共通ライン５の内部に残存する殺菌剤Ｒの総量は、バラスト水Ｗに注入される中和剤Ｎの総量に比べて非常に少ないため、ラインの共通化による殺菌及び中和の性能低下は無視できる程度である。
【００３０】
図４は、共通ラインから殺菌剤が漏洩した状態を概略的に示した図である。図５は、漏洩した殺菌剤を中和剤で中和する状態を概略的に示した図である。図４，５に示すように、本発明に係るバラスト水処理システム１では、漲水時に万一共通ライン５が破損したとしても、漏洩した殺菌剤Ｒを速やかに中和できる。すなわち、殺菌剤Ｒが漏洩した場合には、上述したように各バルブを開閉して中和剤Ｎが共通ライン５を流通できる状態とする。これにより、共通ライン５の破損箇所Ｃから中和剤Ｎが漏洩するため、共通ライン５の外部において殺菌剤Ｒに中和剤Ｎが混合される。従って、漏洩した殺菌剤Ｒを速やかに中和することができる。更に、例えば殺菌剤Ｒの漏洩が微少量であるため漏洩の発見が遅れたとしても、バラスト水Ｗの排水時に中和剤Ｎが同じ破損箇所Ｃから微少量だけ漏洩するため、自動的に殺菌剤Ｒが中和される。従って、殺菌剤Ｒの漏洩の発見までの間に、汚染が周辺に広がることを防止することができる。
【００３１】
なお、このように漏洩した殺菌剤Ｒを中和する手段は、例えば殺菌剤Ｒの流量センサを共通ライン５の上流部及び下流部に設置して殺菌剤Ｒの漏洩を自動検知し、漏洩を検知した場合は各バルブを電磁弁により自動開閉する機構とすることも可能である。この場合、漏洩した殺菌剤Ｒを確実に、且つ、より速やかに中和できる。
【００３２】
以上説明したように、バラスト水処理システム１では、殺菌剤Ｒと中和剤Ｎとが流通するラインにおいて、殺菌剤注入部１７及び中和剤注入部２７より上流側に、殺菌剤Ｒと中和剤Ｎとが共通して流通する共通ライン５が設けられている。これにより、漲水時には共通ライン５に殺菌剤Ｒを流通させ、排水時には共通ライン５に中和剤Ｎを流通させるため、殺菌剤Ｒのラインと中和剤Ｎのラインとを個別に設ける必要がない。このため、バラスト水処理システム１をシンプルな構成とすることができる。また、部材の使用量が減少するため、コストの低減が可能となる。また、万一共通ライン５から殺菌剤Ｒが漏洩した場合でも、共通ライン５に中和剤Ｎを流通させるだけで漏洩した殺菌剤Ｒを速やかに中和できるため、安全性の向上が可能となる。
【００３３】
また、バラスト水処理システム１では、反応剤は、バラスト水Ｗに殺菌処理を施す殺菌剤Ｒであり、殺菌剤Ｒは、船舶１００内にバラスト水Ｗを漲水するときにバラスト水Ｗに注入され、中和剤Ｎは、船舶１００内からバラスト水Ｗを排水するときにバラスト水Ｗに注入される。この場合、バラスト水Ｗとして取り込む海水に含有される微生物を効率的に殺菌することができる。
【００３４】
また、バラスト水処理システム１では、共通ライン５より上流側に設けられた殺菌剤タンク１２及び中和剤タンク２２を更に備え、殺菌剤タンク１２及び中和剤タンク２２と殺菌剤注入部１７及び中和剤注入部２７とは、隔壁７で仕切られた機関室２、ポンプ室３にそれぞれ配置されている。そして、共通ライン５は、隔壁７を貫通して設けられている。この場合、隔壁７に設ける貫通部８が、共通ライン５を貫通させるための一箇所のみで良いため、製造が容易になる。
【００３５】
なお、本発明は上記の実施形態に限られるものではない。例えば、上記実施形態ではバラスト水Ｗに注入する反応剤として殺菌剤Ｒを例示したが、本発明は、反応剤として具体的に、次亜塩素酸水溶液（次亜塩素酸化合物を清水で水溶したもの）、オゾンガス（もしくは、オゾンガスを水溶したもの）、二酸化炭素（二酸化炭素が水溶したもの）、又は、海水もしくは清水を電気分解して生成される活性物質、といった物質を用いることができ、上記物質を中和する物質（中和剤）として具体的に、共通して次亜塩素酸ナトリウム、又は亜硫酸ナトリウムを用いることができる。この場合、バラスト水Ｗとして取り込む海水に含有される物質や微生物に応じて、上記物質から最適な反応剤及び中和剤を適宜選択してバラスト水Ｗを処理することが可能となる。
【００３６】
また、上記実施形態では、第１の殺菌剤バルブ１５を設置した第１の殺菌剤ライン１３と、第１の中和剤バルブ２５を設置した第１の中和剤ライン２３とが下流側に設けられた合流部９で合流する構成を例示した。しかし、本発明は、上記第１の殺菌剤バルブ１５と第１の中和剤バルブ２５との代わりに、合流部９に三方弁を設ける構成としてもよい。この場合、部品数を削減することができ、バラスト水処理システム１を更にシンプルな構成とすることができる。
【００３７】
また、上記実施形態において、バラスト水処理システム１を構成する各バルブは、手動によって開閉を行うものであっても電磁弁等によって開閉を行うものであってもよい。手動によって開閉を行うものとすればコストを低減することができる。一方、電磁弁によって開閉を行うものとすれば、バルブの開閉を迅速且つ容易に行うことができる。
【００３８】
ここで、上記実施形態では、船舶１００としてタンカーを例示している。タンカーのように、例えば石油系液体貨物といった可燃性物質を積載する船舶においては、カーゴスペースに隣接する区画は防爆エリアとされる。防爆エリアには、安全のため、非防爆型電気品を装備した殺菌剤タンク１２及び中和剤タンク２２を設置することは避けられる。
【００３９】
上記実施形態では、バラスト水処理システム１は防爆エリアであるポンプ室３と非防爆エリアである機関室２とに跨って設置されており、殺菌剤タンク１２及び中和剤タンク２２を非防爆エリアである機関室２に配置することで安全性を確保する構成を開示している。しかし、本発明は、殺菌剤タンク１２及び中和剤タンク２２を機関室２より更に後方の区画に設置してもよい。すなわち、機関室２の後方に、例えば舵機室といった区画が設けられている船舶においては、非防爆エリアである上記舵機室に殺菌剤タンク１２及び中和剤タンク２２を設置できる。この場合、船舶の構造に即した最適なレイアウトを選択することができるため、レイアウトの自由度が高くなる。
【００４０】
また、非防爆型電気品を装備した殺菌剤タンク１２及び中和剤タンク２２自体に防爆処理を施すことにより、殺菌剤タンク１２及び中和剤タンク２２を防爆エリアに設置することも可能となる。この場合も、レイアウトの自由度が高くなる。
【００４１】
更に、上記実施形態では船舶１００としてタンカーを例示したが、本発明は、バラストタンク４を有する船舶であればどのような船舶であっても適用が可能であり、例えばバルクキャリアー等に適用してもよい。この場合、バルクキャリアーには原油や液化天然ガスといった石油系液体貨物を積載することがないため、上述した防爆エリアが存在しない。従って、殺菌剤タンク１２、中和剤タンク２２に防爆処理を施さなくてもバラスト水処理システム１の自由なレイアウトが可能となる。
【符号の説明】
【００４２】
１…バラスト水処理システム、２…機関室（区画）、３…ポンプ室（区画）、５…共通ライン、７…隔壁、１２…殺菌剤タンク、１７…殺菌剤注入部、２２…中和剤タンク、２７…中和剤注入部、２８…注入部、２９…タンク、１００…船舶、Ｎ…中和剤、Ｒ…殺菌剤（反応剤）、Ｗ…バラスト水。
【図１】
2015160468.tif 000003
【図２】
2015160468.tif 000004
【図３】
2015160468.tif 000005
【図４】
2015160468.tif 000006
【図５】
2015160468.tif 000007
【図６】
2015160468.tif 000008
【図７】
2015160468.tif 000009